(57)【特許請求の範囲】
【請求項１】
油圧作業装置とは別置きされた油圧ユニットから油圧ホースを介して前記油圧作業機に油圧を供給する油圧ユニットにおいて、
該油圧ユニットの上部に油圧ホース吊り上げ装置を設け、
該油圧ホース吊り上げ装置は、前記油圧ユニットに水平方向に旋回可能に取り付けられたブームと、該ブームの先端部に設けたシーブと、前記ブームの基端側に配置したロープ巻取器と、該ロープ巻取器から繰り出されて前記シーブから垂下するロープの先端部に設けたホース吊り上げ部材とを備えていることを特徴とする油圧ユニット。
【請求項２】
前記ブームは、伸縮可能に形成されていることを特徴とする請求項１記載の油圧ユニット。
【請求項３】
前記ロープ巻取器は、電動モータ又は油圧モータで駆動されることを特徴とする請求項１又は２記載の油圧ユニット。
【発明の詳細な説明】
【技術分野】
【０００１】
本発明は、油圧ユニットに関し、詳しくは、杭打機やクレーン等の油圧で作動する油圧作業装置に油圧ホースを介して油圧を供給する油圧ユニットに関する。
【背景技術】
【０００２】
油圧シリンダや油圧モータといった油圧アクチュエータを作動させて各種作業を行う油圧作業装置、例えば杭打機やクレーンなどは、通常は、装置自体に搭載した油圧ユニットから各種油圧アクチュエータに油圧を供給している。また、作業中に油圧アクチュエータが昇降する杭打機の場合、油圧ホースを分割し、分割したホースの接続部にワイヤロープの接続部を形成すると共に、ワイヤロープの両端を作業装置とバックステーとにそれぞれ取り付け、前記ワイヤロープによって油圧ホースに弛みを持たせた状態で支持するようにし、油圧ホースが傷まないようにしたものがあった（例えば、特許文献１参照。）。
【先行技術文献】
【特許文献】
【０００３】
【特許文献１】実開昭６３−１９４９４３号公報
【発明の概要】
【発明が解決しようとする課題】
【０００４】
しかし、上述の特許文献１に記載された油圧ホースは、杭打機に搭載した油圧ユニットと、杭打機のリーダに沿って昇降する油圧アクチュエータとを接続する油圧ホースを保護するものであって、杭打機自体が備えているバックステーを利用しているため、油圧作業装置と、該油圧作業装置とは別置きされる油圧ユニットとを接続する油圧ホースには適用できなかった。
【０００５】
実際の作業現場で油圧作業装置と油圧ユニットとを油圧ホースで接続する場合、油圧ホースは、地上に這わせた状態で置かれていることが多く、このため、重機などに踏まれて油圧ホースが損傷することがあった。
【０００６】
そこで本発明は、油圧作業装置と油圧ユニットとを接続する油圧ホースの損傷を防止することができる構造を備えた油圧ユニットを提供することを目的としている。
【課題を解決するための手段】
【０００７】
上記目的を達成するため、本発明の油圧ユニットは、油圧作業装置とは別置きされた油圧ユニットから油圧ホースを介して前記油圧作業機に油圧を供給する油圧ユニットにおいて、該油圧ユニットの上部に油圧ホース吊り上げ装置を設け、該油圧ホース吊り上げ装置は、前記油圧ユニットに水平方向に旋回可能に取り付けられたブームと、該ブームの先端部に設けたシーブと、前記ブームの基端側に配置したロープ巻取器と、該ロープ巻取器から繰り出されて前記シーブから垂下するロープの先端部に設けたホース吊り上げ部材とを備えていることを特徴としている。
【０００８】
さらに、本発明の油圧ユニットは、前記ブームが伸縮可能に形成されていること、また、前記ロープ巻取器が電動モータ又は油圧モータで駆動されることを特徴としている。
【発明の効果】
【０００９】
本発明の油圧ユニットによれば、油圧作業装置と油圧ユニットとを接続する油圧ホースを油圧ホース吊り上げ装置で吊り上げておくことができるので、油圧ホースが重機などに踏まれたりすることがなくなり、油圧ホースを保護することができる。また、油圧ホース吊り上げ装置のブームを旋回可能としていることにより、油圧ホースの接続方向が異なっても容易に対応することができ、さらに、油圧作業装置が多少移動しても、油圧ユニットを移動させずに対処することができ、伸縮可能に形成することで、より幅広い範囲で油圧ホースを吊り上げておくことができる。また、ロープ巻取器を、電動モータ又は油圧モータで駆動するように形成することにより、重い油圧ホースの吊り上げも容易に行うことができる。
【図面の簡単な説明】
【００１０】
【図１】油圧作業装置に油圧を供給している状態の油圧ユニットの一形態例を示す側面図である。
【図２】同じく平面図である。
【発明を実施するための形態】
【００１１】
本形態例は、油圧作業装置の一つである杭打機に油圧を供給する油圧ユニットに本発明を適用したものである。本形態例に示す杭打機１１は、クローラ１２を備えた下部走行体１３と、該下部走行体１３上に旋回可能に設けられた上部旋回体１４とを有するベースマシン１５と、前記上部旋回体１４の前部に起伏可能に設けられたリーダ１６と、該リーダ１６を上部旋回体１４の後部から支持するバックステー１７とを備えている。また、上部旋回体１４のメインフレーム１４ａ上には、下部走行体１３を作動させるための小型油圧ユニット１８とカウンタウエイト１９とが搭載されており、メインフレーム１４ａの後端側には、油圧配管接続部１４ｂが設けられている。
【００１２】
この杭打機１１は、リモコン２０でオーガ駆動装置などの作業装置２１をリーダ１６に沿って昇降させると共に、作業装置２１でオーガスクリュー２２を回転駆動することにより、所定の杭打ち作業を行う。杭打ち作業中の杭打機１１は、杭打機１１とは別に所定の場所に設置した油圧ユニット２３から油圧ホース２４を介して供給される油圧により、作業装置２１をはじめとする各種油圧アクチュエータを作動させる。
【００１３】
油圧ユニット２３は、杭打機１１とは別に、油圧ホース２４の長さに応じて作業現場の適当な場所に配置される。この油圧ユニット２３は、下部に走行部２３ａを備えた自走式であって、油圧ユニット２３の上部には油圧ホース吊り上げ装置２５が設けられている。
【００１４】
油圧ホース吊り上げ装置２５は、油圧ユニット２３の天板上面に取り付けられる取付ブラケット２５ａと、該取付ブラケット２５ａに水平方向に旋回可能に取り付けられ、かつ、伸縮可能に形成されたブーム２５ｂと、該ブーム２５ｂの基端側下部に取り付けられたロープ巻取器２５ｃと、前記ブーム２５ｂの先端部に取り付けられたシーブ２５ｄと、前記ロープ巻取器２５ｃから繰り出されて前記シーブ２５ｄを介して垂下するロープ２５ｅと、該ロープ２５ｅの先端部に設けられたホース吊り上げ部材２５ｆとを備えており、ホース吊り上げ部材２５ｆは、杭打機１１と油圧ユニット２３との間を接続する複数の油圧ホース２４を吊り上げ可能な構造に形成されている。
【００１５】
また、本形態例では、杭打機１１のカウンタウエイト１９の上面にも、油圧ユニット２３の油圧ホース吊り上げ装置２５と同じ構造を有する油圧ホース吊り上げ装置２５を取り付けている。
【００１６】
杭打機１１と油圧ユニット２３とは、作業現場にそれぞれ搬入された後、杭打機１１と油圧ユニット２３とを所定本数の油圧ホース２４で接続する共に、各油圧ホース吊り上げ装置２５のブーム２５ｂを杭打機１１と油圧ユニット２３との位置関係に応じて旋回させ、両者の距離に応じてブーム２５ｂを伸縮させた状態でホース吊り上げ部材２５ｆで油圧ホース２４を吊り上げた状態とする。
【００１７】
このとき、各油圧ホース吊り上げ装置２５による油圧ホース２４の吊り位置は、杭打機１１と油圧ユニット２３との位置関係、油圧ホース２４の長さ、杭打機１１の移動範囲や上部旋回体１４の旋回による吊り方向の変化などを考慮して設定し、油圧ホース２４に適当な弛みを持たせた状態で吊り上げるようにする。
【００１８】
油圧ホース吊り上げ装置２５のブーム２５ｂの旋回や伸縮、ロープ巻取器２５ｃの操作は、杭打機１１や油圧ユニット２３が小型であって、油圧ホース２４が比較的軽量な場合には全てを手動で行うことができる。一方、杭打機１１や油圧ユニット２３が大型で、油圧ホース２４の重量が嵩む場合には、ロープ巻取器２５ｃを電動モータや油圧モータで駆動したり、ブーム２５ｂの旋回や伸縮に電動モータや油圧モータ、油圧シリンダを使用したりすることにより、油圧ホース２４を吊り上げる操作を簡単に行うことができる。なお、電動モータは、油圧ユニット２３のエンジンに設けられている発電機やバッテリを電源とすることができ、油圧モータや油圧シリンダは、油圧ユニット２３自体からの油圧で駆動することができる。また、ブーム２５ｂの仰角を調節できるようにしておくこともできる。
【００１９】
このようにして杭打機１１と油圧ユニット２３とを接続する油圧ホース２４を油圧ホース吊り上げ装置２５で吊り上げておくことにより、油圧ホース２４が重機や作業者などに踏まれたりすることがなくなり、また、杭打機１１の移動や上部旋回体１４の旋回によって油圧ホース２４が地面と擦れたりすることがなくなり、油圧ホース２４を保護することができる。
【００２０】
なお、本発明は、杭打機以外のクレーンやパワーショベルなど、各種油圧作業装置に油圧を供給する油圧ユニットに適用することができ、油圧ホース吊り上げ装置を持たない油圧作業装置にも適用することができる。
【符号の説明】
【００２１】
１１…杭打機、１２…クローラ、１３…下部走行体、１４…上部旋回体、１４ａ…メインフレーム、１４ｂ…油圧配管接続部、１５…ベースマシン、１６…リーダ、１７…バックステー、１８…小型油圧ユニット、１９…カウンタウエイト、２０…リモコン、２１…作業装置、２２…オーガスクリュー、２３…油圧ユニット、２３ａ…走行部、２４…油圧ホース、２５…油圧ホース吊り上げ装置、２５ａ…取付ブラケット、２５ｂ…ブーム、２５ｃ…ロープ巻取器、２５ｄ…シーブ、２５ｅ…ロープ、２５ｆ…ホース吊り上げ部材
【図１】
0005688934.tif 000002
【図２】
0005688934.tif 000003